(57)【要約】【課題】サッシ枠に取り付けた状態の板ガラスの遮音性能を推定することを目的とする。【解決手段】  板ガラスの音響透過損失の特性に基づいて、板ガラスの遮音性能を推定する範囲を周波数に対応させて複数の範囲に分割し、分割した範囲毎に、板ガラスの音響透過損失の推定式を回帰分析により求め、求めた推定式を結合することによりサッシにより遮音すべき周波数範囲全体に亘る遮音性能を推定する。【選択図】図６
2015212662.tif 000002
【特許請求の範囲】
【請求項１】
板ガラスの音響透過損失の特性に基づいて、板ガラスの遮音性能を推定する範囲を周波数に対応させて複数の範囲に分割し、
分割した範囲毎に、板ガラスの音響透過損失の推定式を回帰分析により求め、
求めた推定式を結合することによりサッシにより遮音すべき周波数範囲全体に亘る遮音性能を推定する
ことを特徴とするガラスの遮音性能推定方法。
【発明の詳細な説明】
【技術分野】
【０００１】
本発明は、建築物の開口部に設けられるサッシに嵌め込まれた板ガラスの遮音性能を推定する方法に関する。
【背景技術】
【０００２】
建築物、特にビルディングのような商業用建造物には遮音性が求められ、建造物の開口部に配置されるサッシにも遮音性能が求められている。そして、サッシの遮音性能は、サッシの気密性とサッシに嵌め込まれた板ガラスの板厚とによってほぼ決定され、サッシを設計する上で板ガラスの選定は重要な事項となっている。
【０００３】
通常、サッシに嵌め込まれる板ガラスの選定は、板硝子協会が発行する資料の遮音性能を参考にしてなされており、サッシに用いる板ガラスの選定を行うための特別な手段はなかった。
【発明の概要】
【発明が解決しようとする課題】
【０００４】
ところで、板硝子協会が発行する資料は、特定のガラスサイズ（幅1230mm、高さ1480mm）のガラスをパテにより支持した状態で行われた遮音性試験をもとにまとめられており、シーリング材によって支持されてサッシに嵌め込まれた板ガラスの遮音性能とは一致しておらず、ガラス面積の違いが遮音性能に及ぼす影響についても考慮されてはいなかった。
【０００５】
本発明は、上記事情を鑑みたものであり、板ガラスの遮音性能が持つ特性を利用して、シーリング材により支持されてサッシに嵌め込まれた状態の板ガラス、特に、単板ガラスの遮音性能を解析し、単板ガラスの遮音特性に対応した推定式を設定することにより、シーリング材により支持されてサッシに嵌め込まれた単板ガラスの遮音性能を推定することのできる方法を提供することを目的とする。以下、本発明中における板ガラスとは、主に単板ガラスを指し、複層ガラスや合わせガラスは含まない。
【課題を解決するための手段】
【０００６】
本発明は、板ガラスの音響透過損失の特性に基づいて、板ガラスの遮音性能を推定する範囲を周波数に対応させて複数の範囲に分割し、分割した範囲毎に、板ガラスの音響透過損失の推定式を回帰分析により求め、求めた推定式を結合することによりサッシにより遮音すべき周波数範囲全体に亘る遮音性能を推定することを特徴とする。
【発明の効果】
【０００７】
本発明によれば、板ガラスに関する情報を入力することにより、シーリング材により支持されてサッシに嵌め込まれた板ガラスの遮音性能を推定することができる。
【図面の簡単な説明】
【０００８】
【図１】遮音性試験における板ガラスの支持構造を説明する図であり、板ガラスをパテにより固定した状態を示す図である。
【図２】板ガラスがシーリング材により支持されてサッシ枠に嵌め込まれた状態を示す図である。
【図３】板ガラスの遮音性能における、板ガラスの寸法と固定方法による影響を示すグラフである。
【図４】遮音性試験によって求められた音響透過損失を、横軸に板ガラスの面密度Ｍと周波数ｆの積として示したプロット図である。
【図５】遮音性試験の結果を３つの範囲に分割して解析することを説明する概略図である。
【図６】本発明の実施形態に係る方法により求めた計算値を、図４のプロット図に重ねて記載した図である。
【図７】本発明の実施形態で用いられる板ガラス遮音性能算出ツールのフローチャートを示す図である。
【図８】本発明の実施形態で用いられる板ガラス遮音性能算出ツールの周波数設定サブルーチンのフローチャートを示す図である。
【図９】本発明の実施形態で用いられる板ガラス遮音性能算出ツールの入力画面の例を示す図である。
【図１０】本発明の実施形態で用いられる板ガラス遮音性能算出ツールの出力画面の例を示す図である。
【図１１】本発明の実施形態により求められる計算値と、実際の実験により求めた実験値及び板硝子協会の実験値とともに示す図である。
【発明を実施するための形態】
【０００９】
ビルディング等の建築物の遮音性が求められる最近においては、サッシの開発、設計を行う上で、サッシに嵌め込まれる板ガラスの選定が重要な事項となっている。
【００１０】
板ガラスの選定に利用される板硝子協会の発行する資料における遮音性能は、例えば図１に示されるような、板ガラス１をパテ３により固定した状態で行われる遮音性試験により求められており、また、板ガラスの寸法については、幅１２３０ｍｍ、高さ１４８０ｍｍの一定の寸法の板ガラスを使用して行われていた。
【００１１】
しかしながら、実際にビルディング等の建築物に装着されるサッシにおいては、例えば図２に示すように、板ガラス１がシーリング材４によりサッシ枠２に固定されるのが通常であって、さらに、図３に示すように、板ガラスの寸法によっても遮音性能が異なることから、上記資料の遮音性能は、そのまま建築物への設置状態での遮音性能として用いるには適してはいなかった。
【００１２】
一般に、面積が十分に広い均質な薄い壁の音響透過損失は、入射音の周波数ｆ（Hz）と材料の面密度Ｍ（kg/m2）の対数に比例することが知られている（質量則）。しかしながら、板ガラスの音響透過損失については、コインシデンス効果により質量則より外れる現象が生じる。
【００１３】
本発明は、板ガラスの音響透過損失が入射音の周波数ｆ（Hz）とガラスの面密度Ｍ（kg/ m2）との積との関係において独特の変化を示すことに着目し、周波数ｆ（Hz）とガラスの面密度Ｍ（kg/m2）との積の値を複数の範囲に分割して、それぞれの範囲毎に板ガラスの音響透過損失を解析することにより、実際の遮音性能に近い推定式を導き出すことができることを見いだし、発明に至ったものである。
【００１４】
−発明の実施形態−
本発明の板ガラスの遮音性能の算出方法を、図２〜１１に示す実施形態を用いて説明する。
本発明の実施形態の算出方法は、主に、１．実験値を取得する行程、２．板ガラスの遮音特性を利用して実験値を区分する行程、３．区分に基づいて推定式を設定する行程、４．板ガラスに関する情報を入力して遮音性能を算出する行程により構成されており、特に、シーリング材により支持されてサッシに嵌め込まれる単板ガラスに対して適している。
【００１５】
（実験値を取得する行程）
板ガラスの遮音性能を推定するために、シーリング材により支持されてサッシに嵌め込まれた単板ガラスの遮音性能を測定する実験を行い、実測値情報を取得する。
遮音性試験は、ＪＩＳＡ１４１６「実験室における建築部材の空気音遮断性能の測定方法」に準じて行った。
簡単に説明すると、試験室の音源室と受音室との間の開口部に、被試験体を設置し、音源室の音源より定常で測定対象周波数範囲の全体にわたって連続的なスペクトルをもつ音を発生し、音源室及び受音室のそれぞれにおいて、１／３オクターブバンド中心周波数（１００Ｈz，１２５Ｈz、１６０Ｈz，２００Ｈz，２５０Ｈz，３１５Ｈz，４００Ｈz，５００Ｈz，６３０Ｈz，８００Ｈz，１０００Ｈz，１２５０Ｈz，１６００Ｈz，２０００Ｈz，２５００Ｈz，３１５０Ｈz，４０００Ｈz及び５０００Ｈz）ごとに室内平均音圧レベルを求めた。
【００１６】
求めた室内平均音圧レベル及び受音室の等価吸音面積から、音響透過損失を次式により求めた。
【数１】
2015212662.tif 000003
【００１７】
被試験体は、ガラス見付け面積０．６m2以上、ガラス見付け幅３３８mm以上２０４６mm以下、ガラス見付け高さ８０３mm以上２７２９mm以下の単板ガラスを使用した。実際に遮音性試験に供した２７種の単板ガラスを表１に示す。なお、表１の「ガラス種」の「ＦＬ」はフロート板ガラス（単板ガラス）を示し、そのあとの数値は板厚を表している。従来より、サッシの設計段階等において、種々の寸法の板ガラスについてその遮音性が検討されているが、上記表１に示す２７種類の板ガラスは、過去に遮音性について検討されたことのある寸法の約８０％を包含しており、上記表１に示す２７種類の板ガラスを用いることにより、より現実的で信頼性の高い板ガラスの遮音性能の推定を行うことができる。
【００１８】
【表１】
2015212662.tif 000004
【００１９】
上記の遮音性試験によって求められた各１／３オクターブバンド中心周波数における音響透過損失を、横軸にガラスの面密度Ｍと周波数ｆの積（＝ρ（ガラスの密度［kg/m3］）×ｔ（板厚［mm］）×ｆ（周波数［Hz］）／１０００）とし、縦軸に音響透過損失としてプロットした。そのグラフを図４に示す。なお、ガラスの密度ρ＝2500kg/ m3である。
【００２０】
（板ガラスの遮音特性を利用して実験値を区分する行程）
図４にも示されるように、単板ガラスの音響透過損失は、低音域では、比較的質量則に従ってガラスの面密度Ｍと周波数ｆの積が上昇するにしたがって音響透過損失は直線的に上昇する傾向にあるが、図４に示す「第１の値」を境にして大きく下降し、さらに、同「第２の値」から再び上昇していることがわかる。これはコインシデンス効果により音響透過損失の落ち込みがあり、ガラスの遮音性能における特性である。
【００２１】
そこで、本発明では、ガラスの面密度Ｍと周波数ｆの積に対して、第１の値以下の範囲（以下、「第１の範囲」という。）、第１の値以上第２の値以下の範囲（以下、「第２の範囲」という。）、及び、第２の値以上の範囲（以下、「第３の範囲」という。）に分割し、各範囲の実験データに対して、それぞれ全く異なる推定式を設定することにより、サッシにより遮音するべき周波数範囲における実際のサッシに嵌め込まれた状態に近い状態での遮音性能が得られる推定式を設定した。
【００２２】
第１の値、及び、第２の値を設定するに際しては、第１の値として、音響透過損失が最初に降下し始める際の極大値のガラスの面密度Ｍと周波数ｆの積の値、第２の値として、音響透過損失が降下した後に上昇し始める際の極小値のガラスの面密度Ｍと周波数ｆの積の値、をそれぞれ設定することとした。
【００２３】
具体的には、第１の値として20000（kg・Hz/m2）が設定され、第２の値として31250（kg・Hz/m2）が設定されている。第１の値、及び、第２の値が設定されることにより、第１〜３の範囲が以下のように設定される。
第１の範囲：Ｍ・f  ≦  20000（kg・Hz/ m2）
第２の範囲：20000（kg・Hz/m2）≦  Ｍ・f  ≦  31250 （kg・Hz/m2）
第３の範囲：Ｍ・f  ≧  31250（kg・Hz/m2）
【００２４】
（区分に基づいて推定式を設定する行程）
図５に示すように第１〜３の範囲を設定するとともに、各範囲において推定式を立案する。低音域では、比較的質量則に従ってガラスの面密度Ｍと周波数ｆの積が上昇するにしたがって音響透過損失は直線的に上昇することから、第１の範囲においては、単回帰分析が採用され、第２及び第３の範囲においては、重回帰分析を採用することにより、全体の近似曲線を算出することとした。
【００２５】
そして、各範囲における回帰分析により求めた推定式は以下のとおりである。
なお、ここでは、係数等を有効数字３桁で表記した概略式を示す。
【数２】
2015212662.tif 000005
ここで、各変数の計算式は、表２のとおりである。
【表２】
2015212662.tif 000006
【００２６】
１式〜３式の推定式に対して、一例として、ガラス見付け幅を2038mm、ガラス見付け高さを2729mm、板厚を19mm、ガラス溝幅を45mmとして遮音性能を算出して、図４のプロットデータに重ねて図６に示した。それぞれの範囲での遮音性能を示す式は、その境界において完全には連続しないが、いずれか小さい方の音響透過損失を選択することにより１式〜３式の推定式を連結し、防音性能を保証することができる。それにより、使用者に対して、過剰な遮音性能を提示することが防げる。
【００２７】
（板ガラスに関する情報を入力して遮音性能を算出する行程）
求めた推定式においては、板ガラスに関するガラス見付け幅、ガラス見付け高さ、板厚、及び、ガラス溝幅を入力すれば、その板ガラスの遮音性能を推定することができる。推定式から板ガラスの遮音性能を算出するには、例えば表計算ソフトを用いることにより、板ガラス遮音性能算出ツールとして構築することができる。
【００２８】
一例として、図７、８に、ガラス見付け幅、ガラス見付け高さ、板厚、及び、ガラス溝幅から板ガラスの遮音性能を算出する板ガラス遮音性能算出ツールのフローチャートを示す。
【００２９】
図７に示す板ガラス遮音性能算出ツールにおいて、推定開始の指示がなされると推定の対象となる板ガラスに関する情報の入力を待つ画面が表示される。一例として、表計算ソフトで構築した遮音性能算出ツールの入力画面を、図９に示す。
【００３０】
使用者は、Step1で、図９に示された入力画面に対して、ガラス見付け幅、ガラス見付け高さ、板厚、及び、ガラス溝幅を入力する。ガラスの見付け幅、ガラス見付け高さ、板厚、及び、ガラス溝幅が入力されると、Step2で、n＝１が設定され、Step3に進む。Step3では、周波数を設定するサブルーチン（図８）に進む。
【００３１】
図８の周波数設定サブルーチンでは、nの値に従って周波数が設定される。設定される周波数は、n＝１〜１８に対して、１／３オクターブバンド中心周波数の、１００Ｈz，１２５Ｈz、１６０Ｈz，２００Ｈz，２５０Ｈz，３１５Ｈz，４００Ｈz，５００Ｈz，６３０Ｈz，８００Ｈz，１０００Ｈz，１２５０Ｈz，１６００Ｈz，２０００Ｈz，２５００Ｈz，３１５０Ｈz，４０００Ｈz及び５０００Ｈzが順に設定される。
【００３２】
Step3の周波数設定サブルーチンにおいて周波数が設定されると、Step4において、Ｍ・f＜２００００であるか否かが判断され、Ｍ・f＜２００００であればStep5に進み、音響透過損失TLを１式により算出した値として、Step13に進む。一方、Ｍ・f＜２００００でなければStep6に進む。
【００３３】
Step6において、Ｍ・f＝２００００であるか否かが判断され、Ｍ・f＝２００００であればStep7に進み、音響透過損失TLを１式か２式により算出された値のうちいずれか小さい方の値としてStep13に進む。一方、Ｍ・f＝２００００でなければStep8に進む。
【００３４】
Step8において、２００００＜Ｍ・f＜３１２５０であるか否かが判断され、２００００＜Ｍ・f＜３１２５０であればStep9に進み、音響透過損失TLを２式により算出された値として、Step13に進む。一方、２００００＜Ｍ・f＜３１２５０でなければStep10に進む。
【００３５】
Step10において、Ｍ・f＝３１２５０であるか否かが判断され、Ｍ・f＝３１２５０であればStep11に進み、音響透過損失TLを２式か３式により算出された値のうちいずれか小さい方の値として、Step13に進む。一方、Ｍ・f＝３１２５０でなければStep12に進に、音響透過損失TLを３式により算出された値として、Step13に進む。
【００３６】
Step13において、横軸に１／３オクターブバンド中心周波数、縦軸に算出された音響透過損失TLとして、計算された値をプロットし、n=n+1としてStep14に進む。
Step14において、ｎ≧１９であるか否かが判断され、ｎ≧１９であれば終了し、ｎ≧１９でなければStep3に戻り、繰り返す。
【００３７】
上記の板ガラス遮音性能算出ツールによりプロットされる出力の例として、表１のＦＬ８について出力した出力画面を図１０に示す。Ｔ−１〜Ｔ−４は、遮音等級線を表し、ＪＩＳＡ４７０６に規定する遮音等級Ｔ−１に相当している。
【００３８】
−推定式の検証−
図８に示す板ガラス遮音性能算出ツールにより、一例として表１のNo.ST06のFL8について求めた遮音性能の計算値を、実際の実験により求めた実験値及び板硝子協会の実験値とともに表３，図１１に示す。
【００３９】
【表３】
2015212662.tif 000007
【００４０】
表３、図１１より、本発明の板ガラス遮音性能算出ツールにより求めた計算値が、板硝子協会の資料に記載されている実験値に比べて、シーリング材により支持されてサッシに嵌め込まれたガラスの実験値に近い値を算出していることがわかる。そして、表１に示す全ての板ガラスについて同様の良好な結果が確認されている。
【００４１】
−本発明の実施形態による作用・効果−
以上のように、本発明の実施形態によれば、ガラス見付け幅、ガラス見付け高さ、板厚、及び、ガラス溝幅を入力することにより、特に、シーリング材により支持されてサッシに嵌め込まれた単板ガラスの遮音性能を把握することができ、建築物開口部に採用する単板ガラスの板厚を効率よく設定することができる。
【符号の説明】
【００４２】
１  板ガラス
２  サッシ
３  パテ
４  シーリング材
【図１】
2015212662.tif 000008
【図２】
2015212662.tif 000009
【図３】
2015212662.tif 000010
【図４】
2015212662.tif 000011
【図５】
2015212662.tif 000012
【図６】
2015212662.tif 000013
【図７】
2015212662.tif 000014
【図８】
2015212662.tif 000015
【図９】
2015212662.tif 000016
【図１０】
2015212662.tif 000017
【図１１】
2015212662.tif 000018